(57)【要約】【課題】  機体バランスの優れた取り回しの良い小型軽量の茶園管理機を提供する。【解決手段】  左右一対のクローラ走行装置３０，３０を門型フレーム２１，２２で連結して機体本体２０を構成し、機体本体２０に茶園管理作業を行うための作業装置としての摘採装置５０を装着すると共に、クローラ走行装置３０，３０及び摘採装置５０に対する操作装置７０を機体後方に配設し、操作装置７０に対応して作業者が着座可能な着座手段８０を機体本体２０に対し機体後方に向かって張り出した状態で配設する。【選択図】図３
2005245363.tif 000002
【特許請求の範囲】
【請求項１】
茶園の管理作業を行う茶園管理機において、
左右一対のクローラ走行装置を門型フレームで連結して機体本体を構成し、前記機体本体に茶園管理作業を行うための作業装置を装着すると共に、前記クローラ走行装置及び前記作業装置に対する操作装置を機体後方に配設し、前記操作装置に対応して作業者が着座可能な着座手段を前記機体本体に対し機体後方に向かって張り出した状態で配設したことを特徴とする茶園管理機。
【請求項２】
前記機体本体の茶畝幅方向の一側方側に前記クローラ走行装置に動力を供給する動力供給装置を配設し、他方側に前記操作装置を配設したことを特徴とする請求項１に記載の茶園管理機。
【請求項３】
前記着座手段は、機体前方に向かって回動可能、或いは折り畳み可能に構成されていることを特徴とする請求項１又は２に記載の茶園管理機。
【請求項４】
前記操作装置は、前記着座手段に腰掛けた作業者が操作可能であり、且つ前記着座手段を機体前方に向かって回動、或いは折り畳んだ状態で他方側のクローラ走行装置の後方に立った作業者が操作可能であることを特徴とする請求項３に記載の茶園管理機。
【発明の詳細な説明】
【技術分野】
【０００１】
この発明は、茶園管理機に関するものである。
【背景技術】
【０００２】
一般に、茶園管理機、例えば、図７に示されるように、作業者の操作により茶畝を跨ぎながら走行する間に摘採作業を行う乗用型茶葉摘採機１にあっては、作業者は、機体前部から前方に向かって張り出し支持されたステップ２に乗った状態で操作部３を操作することによってクローラ走行装置４を操作して、茶畝を跨ぎながら走行する間に摘採装置５によって摘採作業を行うように構成されている（例えば、特許文献１参照）。
しかしながら、上述した従来の乗用型茶葉摘採機１にあっては、次のような問題がある。まず、図７，８に示されるように、機体は、茶畝を跨ぎながら走行するため前後一対の腰高の門型フレーム６，６によって形成されていると共に、この門型フレーム６，６の上部には、クローラ走行装置４に動力を供給するためのエンジン７、油圧ポンプ８や油圧タンク９等の重量物が配置されている。このため、機体の重心位置が高くなるので、ステップ２に作業者が乗りながら急傾斜地を昇降するような場合や急発進、急停止した際に、機体のバランスが崩れてしまうという虞があった。そして、機体のバランスが崩れてしまうと、作業者は操縦に細心の注意を払って機体を立て直す必要があり、立ち作業の作業者に余計な負担がかかってしまうという問題がある。
このような問題を解決するために、機体の重心位置の近傍、例えば門型フレーム６，６間に作業者が着座して機体操作を行うためのシートを設けることが考えられる（例えば、特許文献２参照）。しかしながら、このような方法によると、シートを取り付けるためのスペースを機体に確保しなければならないので、機体が大型化してしまうだけでなく、機体全体を一度に見渡すことは難しいので、摘採作業に支障を来してしまうという問題が発生する。
さらに、摘採装置５は、機体後部の下方側に取り付けられている。このため、刈刃が茶葉を刈っている様子を見たいとステップ２に乗車した作業者やシートに着座した作業者が思っても、その様子を実際に見ることは難しく、茶畝に応じた最適な刈り取り位置に刈刃を位置合わせすることは非常に難しいという問題もある。また、ステップ２に乗車した作業者、或いはシートに着座した作業者が、機体後部に取り付けられた茶袋を交換するには移動距離があるので不便である。
【０００３】
【特許文献１】特開２００１−２７５４５１号公報
【特許文献２】特開２００１−２５１９２８号公報
【発明の開示】
【発明が解決しようとする課題】
【０００４】
そこで、この発明は、上記した従来の茶園管理機の有している問題点を解決するためになされたものであって、機体バランス及び取り廻しに優れ、茶園管理作業の向上を図ることのできる小型軽量の茶園管理機を提供することを目的とする。
【課題を解決するための手段】
【０００５】
第１の発明は、上記目的を達成するために、茶園の管理作業を行う茶園管理機において、
左右一対のクローラ走行装置を門型フレームで連結して機体本体を構成し、前記機体本体に茶園管理作業を行うための作業装置を装着すると共に、前記クローラ走行装置及び前記作業装置に対する操作装置を機体後方に配設し、前記操作装置に対応して作業者が着座可能な着座手段を前記機体本体に対し機体後方に向かって張り出した状態で配設したことを特徴とする。
【０００６】
第２の発明は、上記目的を達成するために、第１の発明の構成に加えて、前記機体本体の茶畝幅方向の一側方側に前記クローラ走行装置に動力を供給する動力供給装置を配設し、他方側に前記操作装置を配設したことを特徴とする。
【０００７】
第３の発明は、上記目的を達成するために、第１又は第２の発明の構成に加えて、前記着座手段は、機体前方に向かって回動可能、或いは折り畳み可能に構成されていることを特徴とする。
【０００８】
第４の発明は、上記目的を達成するために、第３の発明の構成に加えて、前記操作装置は、前記着座手段に腰掛けた作業者が操作可能であり、且つ前記着座手段を機体前方に向かって回動、或いは折り畳んだ状態で他方側のクローラ走行装置の後方に立った作業者が操作可能であることを特徴とする。
【発明の効果】
【０００９】
第１の発明によれば、クローラ走行装置及び作業装置に対する操作装置を機体後方に配設し、この操作装置に対応して作業者が着座可能な着座手段を機体本体に対し機体後方に向かって張り出した状態で配設した。これにより、機体を大型化することなく、且つ低コストに着座手段を機体に配設することができると共に、小型の機体であっても着座スペースを充分に確保することができる。また、作業者は、機体本体から機体後方に張り出した状態で着座手段に着座するので、速やかに着座手段に着座することができ、しかも、機体全体を一度に見渡せることができるので、機体に乗り降りする作業者の負荷が軽減されると共に茶園管理作業の効率化を図ることができる。具体的には、茶園管理作業が摘採作業の場合、作業者は、刈刃が茶葉を刈っている様子を間近で視認することができるので、茶畝に応じた最適な刈り取り位置に刈刃を位置合わせすることが容易にできるようになると共に、摘採装置後方に取り付けられる収容袋までの移動距離が少ないので、収容袋交換を容易、且つ迅速に行うことができるようになり、摘採作業をより向上させることができる。
【００１０】
第２の発明によれば、動力供給装置と着座手段とは、それぞれ機体に対して最大限離間した位置に配設される。これにより、第１の発明の作用効果に加えて、作業者が着座手段に腰掛けると動力供給装置との重量バランスが良好になるので、機体の走行安定性を向上させることができる。
【００１１】
第３の発明によれば、着座手段は、機体前方側に向かって回動可能、或いは折り畳み可能とされている。これにより、第１又は２の発明の作用効果に加えて、着座手段を機体前方に向かって回動、或いは折り畳むことによって機体後方に張り出している着座手段を簡単に機体上に収容することができる。従って、補助板を折り畳んだ状態の機体の全長をさらに短縮化することができ、機体の移動時やトラック積載時、倉庫保管時等に場所を取らず大変便利である。
【００１２】
第４の発明によれば、操作装置は、作業者が着座手段に腰掛けても、着座手段を機体前方に向かって回動、或いは折り畳んだ状態でクローラ走行装置の後方に立ったままでも操作可能とされている。これにより、第３の発明の作用効果に加えて、作業者は腰掛け姿勢、或いは立ち姿勢のどちらでも操作装置を操作することができるので、茶園管理作業形態に応じた作業者の使い勝手をさらに向上させることができる。
【００１３】
これらの結果、機体バランス及び取り廻しに優れ、茶葉管理作業の向上を図ることのできる小型軽量の茶園管理機を提供することができる。
【発明を実施するための最良の形態】
【００１４】
機体を操作する操作装置に対応して作業者が着座可能な着座手段を機体本体に対し機体後方に向かって張り出した状態で配設したことにより、機体を大型化することなく着座スペースを確保した。
【実施例】
【００１５】
以下、本発明の最も好適と思われる実施例について図１〜６を参照しながら詳細に説明を行う。図１は、本発明が適用された乗用型茶葉摘採機の正面図、図２は、同例における背面図、図３は、同例における側面図、図４は、同例における平面図、図５は、作業者による一操作形態を示した側面図、図６は、作業者による他の操作形態を示した側面図である。
【００１６】
まず、本発明が適用された茶園管理機としての乗用型茶葉摘採機について説明する。図１〜４に示されるように、乗用型茶葉摘採機１０は、乗用型茶葉摘採機１０の基本骨格をなす機体本体２０と、この機体本体２０を走行可能に支える左右一対のクローラ走行装置３０，３０と、クローラ走行装置３０，３０に動力を供給する動力供給装置４０と、茶畝から茶葉を摘採し回収する作業装置としての摘採装置５０と、クローラ走行装置３０，３０を駆動制御すると共に摘採装置５０を操作する操作装置７０と、操作装置７０に対応した位置に設けられた着座手段８０とを備えて構成されている。
【００１７】
機体本体２０は、図１〜４に示されるように、茶畝を跨いで走行するために正面視門型に形成されているものであって、高さの異なった前側門型フレーム（以下、前側フレームという）２１及び後側門型フレーム２２（以下、後側フレームという）が前後に離間した状態で配置されている。これら前側フレーム２１及び後側フレーム２２は、軌間伸縮可能に構成されていると共に、それらの左右上端部間が、前後方向に延びる一対の連結フレーム２３，２３によって連結固定されている。さらに、前側フレーム２１の左右下端部が、図３に示されるように、各クローラ走行装置３０，３０に配設された前後方向に延びる補強フレーム２４（但し、図３にあっては機体右側の補強フレームのみが図示されている）の前端部に連結固定され、さらに、後側フレーム２２の左右下端部が、補強フレーム２４の中間部（好ましくは、補強フレーム２４の中央よりも前端部側に寄せて）に連結固定されることによって一体化している。
【００１８】
機体右側のクローラ走行装置３０は、図３に示されるように、補強フレーム２４に回動可能に取りつけられた従動輪３１、複数の転輪３２、油圧式の走行モータ（図示せず）が組み込まれた駆動輪３３と、これら従動輪３１及び駆動輪３３の間に捲装されたゴムクローラ３４とを備えて構成されている。さらに、走行モータには、駆動輪３３、すなわちクローラ走行装置３０に駆動力を供するための油圧が供給される管路３５が接続されている。
なお、機体左側のクローラ走行装置３０も同様の態様により構成されている。
【００１９】
また、後側フレーム２２の左右脚部２２Ａ，２２Ａには、油圧式の刈取昇降シリンダ２５（図２に図示）の伸縮動作によって脚部２２Ａ，２２Ａに沿って昇降可能な左右一対の昇降部材２６，２６が取り付けられている（なお、図１，３中にあっては、機体右側の昇降部材２６のみ図示されている）。そして、図３に示されるように、これらの昇降部材２６，２６に取り付けられた後方に延びる左右一対のクランク状のアーム部材２７，２７（但し、図３にあっては機体右側の各アーム部材のみが図示されている）を介して摘採装置５０が機体後部において片持ち支持されている。
【００２０】
この昇降部材２６，２６、すなわち摘採装置５０の下降位置決めは、ハンドル２８ａ（図１，３に図示）を回動することによって予めチェーン２９，２９（図１に図示）の繰り出し長を設定するチェーン式の位置決めストッパー２８によって行われる。この位置決めストッパー２８は操作装置７０近傍に配設されている。
【００２１】
摘採装置５０は、図１に示されるように、その正面視が摘採を目的として作られた樹形に合わせて弧状（或いは水平）、且つほぼ左右対称となるように形成されている。この摘採装置５０の下方側には、茶畝から茶葉を摘採するための刈刃（バリカン刃）５１が機体幅方向に往復駆動可能に取り付けられている。この刈刃５１は、第２の動力供給装置として摘採装置５０の上面右端部に装着された刈刃駆動及び送風用エンジン５２（図２に図示）によりベルト（図示せず）を介して駆動される。なお、クローラ走行装置３０に動力を供給する動力供給装置４０から刈刃５１に駆動力が供給されるように構成してもよい。これにより、部品点数の削減、軽量化、コスト低減が図られる。
【００２２】
さらに、この刈刃駆動及び送風用エンジン５２の下部には、風（気流）を発生させる送風機５３が一体的に取り付けられている。この送風機５３には、機体幅方向に延びる送風ダクト５４に風を送り込むためのファンケース５５（図３，４に図示）が一体的に連設されていると共に、送風ダクト５４及びファンケース５５の下面側には、複数の枝管５６が刈刃５１の前面に向けて延設されている。このため、刈刃駆動及び送風用エンジン５２の駆動に伴って送風機５３から発生した風は、送風ダクト５４及びファンケース５５の枝管５７から刈刃５１の前面に向かって満遍なく吹き付けられるようになっている。
【００２３】
さらに、この刈刃駆動及び送風用エンジン５２が取り付けられた摘採装置５０の反対側、すなわち摘採装置５０の上面左端部には、送風ダクト５４に風を送り込む送風機５７が取り付けられた送風用エンジン５８が装着されている。この送風機５７にも、送風ダクト５４に連通したファンケース５９が一体的に連設されていると共に、このファンケース５９の下面側にも、複数の枝管５６が刈刃５１の前面に向けて延設されている。このため、この送風用エンジン５８の駆動に伴って送風機５７から発生した風は、上述した刈刃駆動及び送風用エンジン５２と同様に、送風ダクト５４及びファンケース５９の枝管５６から刈刃５１の前面に向かって満遍なく吹き付けられるようになっている。
【００２４】
このように、摘採装置５０は、刈刃５１や送風機５３，５７を駆動する２基のエンジン５２，５８を左右対称的に装着している。これにより、摘採装置５０の重量バランスが良好となるうえに刈刃５１や送風機５３，５７を駆動するための駆動系が機械式となるので軽量化及びコストダウンが図られている。なお、摘採装置５０は、２基のエンジン搭載形態に限られたものではなく、重量バランスを考慮したうえで１基のエンジン搭載形態とすることもできる。また、摘採装置５０は、エンジン５２，５８の搭載を止めて動力供給装置４０から動力供給を受けるように構成することもできる。
【００２５】
また、機体中心からほぼ等しく左右に離れた摘採装置５０の上面側には、これらエンジン５２，５８に燃料を供給する燃料タンク６０，６０が配設されている。なお、燃料タンク６０，６０を２体設ける必要はなく、１体の燃料タンク６０からエンジン５２，５８に燃料を供給するように構成してもよい。
【００２６】
この摘採装置５０の後方には、刈刃５１によって茶畝から摘採されたのち枝管５６から吹き出される風によって送り込まれた茶葉を収容する収容袋６１（図５，６参照）の開口端側を係止させる棒状のガイド部材６２が機体幅方向に延びるように取り付けられていると共に、この収容袋６１を載置する荷台６３及び補助板６４が取り付けられている。
【００２７】
荷台６３は、機体本体２０後部に固定されているものであって、図３に示されるように、機体幅方向に延びたはしごフレーム構造、且つ機体中心において上方に湾曲したアーチ構造を有したアルミ押し出し成形品であって、軽量化が図られているうえに、荷台６３上に作業者や茶葉で満杯になった収容袋６１を載置することが可能な充分な強度を有している。
【００２８】
補助板６４は、機体本体２０後部に対して脱着可能、且つ機体前方に向かって手動で折り畳み可能に取り付けられているものであり、油圧式による折り畳み構造のものよりも軽量化が図られている。この補助板６４は、その後方から中央部に向かって作業員が入り込めるようにコ字状に切り欠かれており、摘採作業の能率向上も図られている。また、補助板６４の左右両側には、補助板６４上に載置した収容袋６１の落下を防止するための落下防止柵６５，６５が固定されている。また、一方の落下防止柵６５の上部には、補助板６４を折り畳む際に作業者が使用するＴ字状の取っ手６６が、機体内側に向かって回動可能に取り付けられており、補助板６４を折り畳んだ状態にあっては取っ手６５が邪魔にならないようになっている。
【００２９】
そして、前側フレーム２１と後側フレーム２２との上部対向面間、つまり機体幅方向に延びた横フレーム２１Ｂ，２２Ｂ部間には、クローラ走行装置３０，３０に動力を供給する動力供給装置４０としてのエンジン４１が機体左側に寄せた状態で配置されている。そして、このエンジン４１は、その機体中央側の側面に一体的に直結された油圧ポンプ４２（図１に図示）を駆動し、油圧ポンプ４２から吐出されるオイルを操作装置７０を介してクローラ走行装置３０，３０や刈取昇降シリンダ２５に圧送するように構成されている。
また、機体左側の補強フレーム２４には、油圧ポンプ４２にオイルを供給する油圧タンク４３が前側フレーム２１と後側フレーム２２との間に挟まれた状態で配設されている。
【００３０】
後側フレーム２２の横フレーム部２２Ａの機体右側には、クローラ走行装置３０，３０を駆動制御すると共に摘採装置５０を各種操作する操作装置７０と、作業者が掴まる把持部材としての平面視Ｕ字形のガイドバー７１とが互いに機体後方に張り出した状態で取り付けられている。操作装置７０は、図５に示されるように、着座手段８０に腰掛けた作業者が操作可能とされ、且つ、図６に示されるように、着座手段８０を機体前方に向かって回動、或いは折り畳んだ状態で機体右側のクローラ走行装置３０の後方に立った作業者が操作可能となるように構成されている。
【００３１】
操作装置７０には、上述した位置決めストッパー２８の他に、図２に示されるように、エンジンを始動、停止させるエンジンスイッチ７２、クローラ走行装置３０，３０の走行速度を切り替えるための１速２速切り替えスイッチ７３（或いは、切り替えレバー）、クローラ走行装置３０，３０を直ちに停止させるための非常停止スイッチ７４、刈刃５１（摘採装置）を上下動させるための刈取機上下動レバー７５、左右のクローラ走行装置３０，３０に対応した一対の前後進切り替えレバー７６、機体駆動用エンジンスロットルレバー７７、刈刃及び送風用エンジンスロットルレバー７８、畝間伸縮レバー７８ａが備えられている。
この操作装置７０よりも機体中央寄りの横フレーム部２２Ａには、茶葉で満杯になった収容袋６１を積載可能とする荷台７９が取り付けられている。
【００３２】
このように構成された操作装置７０に対応して、機体後部の下方右側、すなわち、機体右側のクローラ走行装置３０の後部には、着座手段８０がクローラ走行装置３０から機体後方に向かって張り出した状態で取り付けられている。
この着座手段８０は、作業者の尻部を保持するサドル部８１と、サドル部８１を下方側から支持するパイプ状のサドル支柱８２とを備えて構成され、サドル支柱８２の下端部が、クローラ走行装置３０の後部にヒンジ部３６によって機体前方に向かって回動可能に設けられた揺動基部３７の上面側に設けられた筒状の取付部３８内に挿入嵌合された状態で抜け止め固定されることによって、着座手段８０は機体前方に向かって回動可能、或いは折り畳み可能とされている。なお、取付部３８の前方側には、サドル支柱８２の支持強度を増強するためのガセットプレート３９が取り付けられている。
【００３３】
さらに、サドル支柱８２は、サドル部８１とサドル支柱８２との結合部が、サドル支柱８２と揺動基部３７との結合部よりも後方に位置するように屈曲形成されている。なお、このサドル支柱８２の下端結合部は、クローラ走行装置３０から後方に張り出した状態であっても（図５参照）、張り出していない状態であっても（図３参照）どちらでも構わない。これらにより、図５に示されるように、着座手段８０のサドル部８１に腰掛けた作業者の足置き場がクローラ走行装置３０の上面側に充分確保されるだけでなく、図６に示されるように、着座手段８０を前方に回動させた作業者がクローラ走行装置３０の後方側に立っても操作装置７０を充分に操作可能とされている。
なお、着座手段８０は、作業者の身長差に応じた最適な操作ポジションが得られるように、上下方向に向かって伸縮可能な構成としてもよい。
【００３４】
次に、上述のように構成された乗用型茶葉摘採機１０を用いて行われる茶葉摘採作業について説明する。
【００３５】
まず、茶園に乗り入れるのに先立って、茶畝で下降させる摘採装置５０、すなわち刈刃５１の位置決めを位置決めストッパー２８により予め設定しておくと共に、荷台６３及び補助板６４上に載置した収容袋６１の開口端部をガイド部材６２に係止させておく。
【００３６】
それから、作業者が着座手段８０に腰掛けてエンジンスイッチ７２によりエンジン４１を始動させる。エンジン４１が始動したら１速２速切り替えスイッチ７３を所望の位置にセレクトしたのち、前後進切り替えレバー７６を操作して茶園に乗り入れて茶畝を跨ぐように機体を移動させる。このとき、茶園に乗り入れる際に急傾斜地を昇降したり、急発進、急停車しても、作業者はガイドバー７１に掴まることができるので姿勢が崩れることはなく、しかも、エンジン４１と対角をなす位置に配設された着座手段８０に作業者が腰掛けることによって機体バランスは良好に保たれる。これにより、急傾斜地を昇降したり、急発進、急停車しても機体バランスが崩れることが抑制されるので、作業者は操縦に細心の注意を払って機体を立て直す必要はなくなり、余計な負担が作業者にかかることが防止される。
【００３７】
そして、茶畝を跨ぐように機体を操作したら、刈取機上下動レバー７５を操作して刈取昇降シリンダ２５を動作させることによって、刈刃５１を所望の摘採位置、すなわち、刈り取り高さ位置まで下降させる。それから、刈刃駆動及び送風用エンジン５２と送風用エンジン５８とを始動して送風機５３，５７を稼動させる。そして、刈刃及び送風用エンジンスロットルレバー７８を開いて刈刃５１を往復駆動させてから、前後進用切り替えレバー７６を操作してクローラ走行装置３０，３０を茶畝に沿って走行させながら茶葉の摘採作業を行う。摘採作業を行っている作業者は、機体全体を一度に見渡せることができ、しかも、刈刃５１が茶葉を刈っている様子を間近で視認することができる。このため、茶畝に応じた最適な刈り取り位置に刈刃５１を容易に位置合わせして摘採作業が行われる。
【００３８】
そして、茶畝を跨ぎながら走行する間に刈刃５１によって摘採された茶葉は、摘採装置５０に設けられた送風ダクト５４及びファンケース５５，５９から延びた枝管５６の先端から吹き出される風によって後方に送られたのち収容袋６１に収容される。収容袋６１が茶葉で満杯になると作業者は摘採作業を一時中断して、着座手段８０から降りて満杯になった収容袋６１を荷台７９に移し換えたのち新たな収容袋６１を装着する。作業者は、収容袋６１までの移動距離が少ないので収容袋交換を短時間で行った後、摘採作業に復帰する。
また、作業内容に応じて、図６に示されるように、着座手段８０を前方に回動させた作業者がクローラ走行装置３０の後方側に立って操作装置７０を操作する場合であっても操作性が充分確保されている。
【００３９】
以上述べたように、本発明の乗用型茶葉摘採機１０によれば、クローラ走行装置３０，３０及び摘採装置５０に対する操作装置７０を機体後方に配設し、この操作装置７０に対応して作業者が着座可能な着座手段８０を機体本体に対し機体後方に向かって張り出した状態で配設した。これにより、機体を大型化することなく、且つ低コストに着座手段８０を機体に配設することができると共に、小型の機体であっても着座スペースを充分に確保することができる。また、作業者は、機体本体から機体後方に張り出した状態で着座手段８０に着座するので、速やかに着座手段８０に着座することができ、しかも、機体全体を一度に見渡せることができるので、機体に乗り降りする作業者の負荷が軽減されると共に茶園管理作業の効率化を図ることができる。また、作業者は、刈刃５１が茶葉を刈っている様子を間近で視認することができるので、茶畝に応じた最適な刈り取り位置に刈刃５１を位置合わせすることが容易にできるようになると共に、摘採装置５０の後方に取り付けられる収容袋６１までの移動距離が少ないので、収容袋交換を容易、且つ迅速に行うことができるようになり、摘採作業をより向上させることができる。
【００４０】
また、動力供給装置４０と着座手段８０とは、それぞれ機体に対して最大限離間した位置に配設される。これにより、作業者が着座手段８０に腰掛けると動力供給装置４０との重量バランスが良好になるので、機体の走行安定性を向上させることができる。
さらに、着座手段８０は、機体前方に向かって回動可能、或いは折り畳み可能とされている。これにより、着座手段８０を機体前方に向かって回動、或いは折り畳むことによって機体後方に張り出している着座手段８０を簡単に機体上に収容することができるので、補助板６４を折り畳んだ状態の機体の全長をさらに短縮化することができ、機体の移動時やトラック積載時、倉庫保管時等に場所を取らず大変便利である。
また、操作装置７０は、作業者が着座手段８０に腰掛けても、着座手段８０を機体前方に向かって回動、或いは折り畳んだ状態でクローラ走行装置３０の後方に立ったままでも操作可能とされている。これにより、作業者は腰掛け姿勢、或いは立ち姿勢のどちらでも操作装置７０を操作することができるので、茶園管理作業形態に応じた作業者の使い勝手をさらに向上させることができる。
【００４１】
これらの結果、機体バランスの優れた取り回しの良い小型軽量の茶園管理機を提供することができる。
【００４２】
なお、本発明は、乗用型茶葉摘採機にのみ適用されるのではなく、左右一対のクローラ走行装置を有する乗用型機体であれば、乗用型防除機、乗用型中刈機、茶園管理機のみならず、移動農機全てに適用することができる。
【図面の簡単な説明】
【００４３】
【図１】本発明が適用された乗用型茶葉摘採機の正面図である。
【図２】同例における背面図である。
【図３】同例における側面図である。
【図４】同例における平面図である。
【図５】作業者による一操作形態を示した側面図である。
【図６】作業者による他の操作形態を示した側面図である。
【図７】従来の乗用型茶葉摘採機を説明するための正面図である。
【図８】図７の側面図である。
【符号の説明】
【００４４】
１０  乗用型茶葉摘採機
２０  機体本体
２１  前側門型フレーム
２２  後側門型フレーム
３０，３０  クローラ走行装置
４０  動力供給装置
４１  エンジン
４２  油圧ポンプ
５０  摘採装置
５１  刈刃
７０  操作装置
８０  着座手段
８１  サドル部
８２  サドル支柱
【図１】
2005245363.tif 000003
【図２】
2005245363.tif 000004
【図３】
2005245363.tif 000005
【図４】
2005245363.tif 000006
【図５】
2005245363.tif 000007
【図６】
2005245363.tif 000008
【図７】
2005245363.tif 000009
【図８】
2005245363.tif 000010